【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
建物開口部を開放可能な開閉ドアをスライド移動させるためのユニット枠と、
前記ユニット枠に後付で設置され、前記開閉ドアの移動領域を封鎖する防護体を備えることを特徴とする引戸式ドア装置。
【請求項２】
前記ユニット枠には被係止部材が設置され、該被係止部材に対し前記防護体を相対移動可能に支持するためのガイド手段であって、前記防護体で封鎖された前記開閉ドアの移動領域を開放可能とするガイド手段を含む請求項１に記載の引戸式ドア装置。
【請求項３】
前記防護体が、前記開閉ドアの戸先部分と前記防護体の戸尻部分とがすれ違うことで、前記防護体と開閉ドアとが引き違い可能に構成される請求項１又は２に記載の引戸式ドア装置。
【請求項４】
前記被係止部材が、前記開閉ドアをスライド移動させる駆動装置を駆動する検知センサの検知領域から外れた位置に配置される請求項１乃至３のいずれか１項に記載の引戸式ドア装置。
【請求項５】
前記防護体の移動を規制するための移動規制手段が設けられ、前記移動規制手段が前記ユニット枠に固定可能に構成される請求項１乃至４のいずれか１項に記載の引戸式ドア装置。
【請求項６】
前記防護体との間で戸袋部を形成するフィックス板をさらに備え、
前記ユニット枠の枠見込内に前記開閉ドア及び前記フィックス板が設けられ、
前記ユニット枠の枠見込外に前記防護体が設置される請求項１乃至請求項５のいずれか１項に記載の引戸式ドア装置。
【請求項７】
前記開閉ドア、前記防護体、及び前記フィックス板は、ガラス戸にて構成される請求項１乃至請求項６のいずれか１項に記載の引戸式ドア装置。
【請求項８】
前記防護体が上下の移動可能に前記被係止部材に係止される請求項１乃至請求項７のいずれか１項に記載の引戸式ドア装置。
【請求項９】
前記被係止部材の見付方向外側には、見付け部を備える請求項１乃至請求項８のいずれか１項に記載の引戸式ドア装置。
【請求項１０】
建物開口部を開放可能な開閉ドアをスライド移動させるためのユニット枠を備える既存の引戸式ドア装置に後付で設置可能に構成され、前記開閉ドアの移動領域を封鎖することを特徴とする防護体。
【手続補正２】
【補正対象書類名】明細書
【補正対象項目名】発明の名称
【補正方法】変更
【補正の内容】
【発明の名称】引戸式ドア装置及び防護体
【手続補正３】
【補正対象書類名】明細書
【補正対象項目名】００１３
【補正方法】変更
【補正の内容】
【００１３】
即ち、請求項１に記載のごとく、
建物開口部を開放可能な開閉ドアをスライド移動させるためのユニット枠と、前記ユニット枠に後付で設置され、前記開閉ドアの移動領域を封鎖する防護体を備えることを特徴とする引戸式ドア装置とする。
【手続補正４】
【補正対象書類名】明細書
【補正対象項目名】００１４
【補正方法】変更
【補正の内容】
【００１４】
また、請求項２に記載のごとく、
前記ユニット枠には被係止部材が設置され、該被係止部材に対し前記防護体を相対移動可能に支持するためのガイド手段であって、前記防護体で封鎖された前記開閉ドアの移動領域を開放可能とするガイド手段を含む請求項１に記載の引戸式ドア装置とする。
【手続補正５】
【補正対象書類名】明細書
【補正対象項目名】００１５
【補正方法】変更
【補正の内容】
【００１５】
また、請求項３に記載のごとく、
前記防護体が、前記開閉ドアの戸先部分と前記防護体の戸尻部分とがすれ違うことで、前記防護体と開閉ドアとが引き違い可能に構成される。
【手続補正６】
【補正対象書類名】明細書
【補正対象項目名】００１６
【補正方法】変更
【補正の内容】
【００１６】
また、請求項４に記載のごとく、
前記被係止部材が、前記開閉ドアをスライド移動させる駆動装置を駆動する検知センサの検知領域から外れた位置に配置される。
【手続補正７】
【補正対象書類名】明細書
【補正対象項目名】００１７
【補正方法】変更
【補正の内容】
【００１７】
また、請求項５に記載のごとく、
前記防護体の移動を規制するための移動規制手段が設けられ、前記移動規制手段が前記ユニット枠に固定可能に構成される。
【手続補正８】
【補正対象書類名】明細書
【補正対象項目名】００１８
【補正方法】変更
【補正の内容】
【００１８】
また、請求項６に記載のごとく、
前記防護体との間で戸袋部を形成するフィックス板をさらに備え、
前記ユニット枠の枠見込内に前記開閉ドア及び前記フィックス板が設けられ、
前記ユニット枠の枠見込外に前記防護体が設置される。
【手続補正９】
【補正対象書類名】明細書
【補正対象項目名】００１９
【補正方法】変更
【補正の内容】
【００１９】
また、請求項７に記載のごとく、
前記開閉ドア、前記防護体、及び前記フィックス板は、ガラス戸にて構成される。
【手続補正１０】
【補正対象書類名】明細書
【補正対象項目名】００２０
【補正方法】変更
【補正の内容】
【００２０】
また、請求項８に記載のごとく、
前記防護体が上下の移動可能に前記被係止部材に係止される。
【手続補正１１】
【補正対象書類名】明細書
【補正対象項目名】００２１
【補正方法】変更
【補正の内容】
【００２１】
また、請求項９に記載のごとく、
前記被係止部材の見付方向外側には、見付け部を備える。
【手続補正１２】
【補正対象書類名】明細書
【補正対象項目名】００２２
【補正方法】変更
【補正の内容】
【００２２】
また、請求項１０に記載のごとく、
建物開口部を開放可能な開閉ドアをスライド移動させるためのユニット枠を備える既存の引戸式ドア装置に後付で設置可能に構成され、前記開閉ドアの移動領域を封鎖することを特徴とする防護体とする。
【手続補正１３】
【補正対象書類名】明細書
【補正対象項目名】００２９
【補正方法】変更
【補正の内容】
【００２９】
即ち、請求項１に記載の発明においては、自由に利用できる空間を確保しつつ、移動領域への人や物の侵入が防止され、既存の引戸式ドア装置の安全性を確保できる。
【手続補正１４】
【補正対象書類名】明細書
【補正対象項目名】００３０
【補正方法】変更
【補正の内容】
【００３０】
また、請求項２の記載の発明においては、メンテナンス時においては、防護体が移動され、防護体に面するスペースが開放される。
【手続補正１５】
【補正対象書類名】明細書
【補正対象項目名】００３１
【補正方法】変更
【補正の内容】
【００３１】
また、請求項３に記載の発明においては、開閉ドアの戸先部分と防護体の戸尻部分とがすれ違うことで、防護体と開閉ドアとが引き違い可能に構成できる。
【手続補正１６】
【補正対象書類名】明細書
【補正対象項目名】００３２
【補正方法】変更
【補正の内容】
【００３２】
また、請求項４に記載の発明によれば、既存の引戸式ドア装置に防護体を後付で設置する場合、検知センサに干渉しないように取り付けられるため、検知センサを取り外して付け直すことがない。
【手続補正１７】
【補正対象書類名】明細書
【補正対象項目名】００３３
【補正方法】変更
【補正の内容】
【００３３】
また、請求項５に記載の発明によれば、メンテナンスを行わない通常時においては、防護体のスライド移動が規制される状態を維持できる。
【手続補正１８】
【補正対象書類名】明細書
【補正対象項目名】００３５
【補正方法】変更
【補正の内容】
【００３５】
また、請求項７に記載の発明によれば、ガラス戸で構成されることによって、フィックス板や防護体の裏面を清掃できる。
【手続補正１９】
【補正対象書類名】明細書
【補正対象項目名】００３６
【補正方法】変更
【補正の内容】
【００３６】
また、請求項８に記載の発明によれば、床面の勾配などに追従して防護体の上下動が可能となる。
【手続補正２０】
【補正対象書類名】明細書
【補正対象項目名】００３７
【補正方法】変更
【補正の内容】
【００３７】
また、請求項９に記載の発明によれば、見付け部の裏側に配置される被係止部材などを隠すことが可能となる。
【手続補正２１】
【補正対象書類名】明細書
【補正対象項目名】００３８
【補正方法】変更
【補正の内容】
【００３８】
請求項１０に記載の発明によれば、自由に利用できる空間を確保しつつ、移動領域への人や物の侵入が防止され、既存の引戸式ドア装置の安全性を確保できる。